(57)【要約】【課題】隣接したペア差動信号端子の間でのクロストークを効果的に低減でき、電気的性能を向上させた電気コネクタを提供する。【解決手段】電気コネクタは、絶縁本体と、前記絶縁本体に装着される複数の導電端子と、前記絶縁本体を覆うシェルとを含み、相手コネクタが挿入される挿入空間を有する電気コネクタにおいて、前記絶縁本体は基部と、前記基部から前記挿入空間へ向けて延出する舌片が設けられ、前記各導電端子は前記舌片の下壁に一列に配列される平板状の接触部を含み、前記複数の導電端子は、二つのペア差動信号端子と、前記二つのペア差動信号端子間に配置される両グランド端子とだけで構成される。【選択図】図４
0003158913.tif 000002
【実用新案登録請求の範囲】
【請求項１】
絶縁本体と、前記絶縁本体に装着される複数の導電端子と、前記絶縁本体を覆うシェルとを含み、相手コネクタが挿入される挿入空間を有する電気コネクタにおいて、
前記絶縁本体は基部と、前記基部から前記挿入空間へ向けて延出する舌片が設けられ、  前記各導電端子は前記舌片の下壁に一列に配列される平板状の接触部を含み、
前記複数の導電端子は、二つのペア差動信号端子と、前記二つのペア差動信号端子間に配置される両グランド端子とだけで構成されることを特徴とする電気コネクタ。
【請求項２】
前記二つのペア差動信号端子の一方は、動画信号を伝送するための動画伝送用端子であることを特徴とする請求項１に記載の電気コネクタ。
【請求項３】
前記二つのペア差動信号端子の他方は、双方向の伝送ができる混合信号伝送用端子であることを特徴とする請求項２に記載の電気コネクタ。
【請求項４】
前記絶縁本体の基部には、前記舌片と平行な補強板が延出するように配置され、該補強板が前記シェルの底部に支持されることを特徴とする請求項１ないし請求項３のいずれか一項に記載の電気コネクタ。
【請求項５】
前記シェルは、天板と、底板と、天板と底板とを連接する両側板とを含み、前記底板は、前記側板からそれぞれ延出する両第一壁と、各第一壁から前記天板に向けてそれぞれ斜めに延出する両第二壁と、両第二壁を連接する第三壁とを含み、前記第一壁と第三壁とは前記天板と平行に配置されることを特徴とする請求項１ないし請求項４のいずれか一項に記載の電気コネクタ。
【請求項６】
前記舌片には、挿入空間が凹んで形成され、前記端子の接触部が前記挿入空間に露出されることを特徴とする請求項１ないし請求項５のいずれか一項に記載の電気コネクタ。
【請求項７】
前記舌片の挿入空間の両側には、舌片を貫通する固持溝が設けられ、前記固持溝には、相手コネクタを係合する片持ちアーム状の弾性アームを保持されることを特徴とする請求項１ないし請求項６のいずれか一項に記載の電気コネクタ。
【考案の詳細な説明】
【技術分野】
【０００１】
本考案は、電気コネクタに関し、特に、例えば高速ディファレンシャル伝送に使用されるのに適した電気コネクタに関する。
【背景技術】
【０００２】
従来技術は、特許文献１を参照すると、電気コネクタは、絶縁本体と、前記絶縁本体に装着される複数の導電端子と、絶縁本体を覆う金属板で形成されたシェルとを含む。前記絶縁本体は前向きに延出する舌片を含み、前記舌片の下壁には導電端子を対応させて収容するための端子溝が並設される。前記導電端子は、絶縁本体に保持される保持部と、保持部の一端から絶縁本体の外部へ延出する回路基板に接続する接続部と、前記保持部の他端から舌片の端子溝に収容する接触部と、を含み、導電端子の接触部は舌片の下壁に一列に配置される。特許文献１の電気コネクタは、ＨＤＭＩ規格によるものであり、前記複数の導電端子はＨＤＭＩ端子として、物理的には±ＴＭＤＳ−クロックと３つの非圧縮ハイビジョン映像信号とデジタル音声±ＴＭＤＳ−０、±ＴＭＤＳ−１，±ＴＭＤＳ−２の８本、±ＣＥＣ，±ＳＣＬ，±ＳＤＡの６本とＤＤＣ／ＣＥＣグランド端子、ＨＰＤホットプラグ検出端子、電源端子、グランド端子の計１８本に予備１本を加えた計１９本の端子から構成され、これにより、超高速のデジタル信号と低速の電気信号とを同時に伝送できる。以上の端子の説明では、実際のＨＤＭＩコネクタの端子に沿って説明しているが、以下では、差動信号の記号を省略して説明する。
【先行技術文献】
【特許文献】
【０００３】
【特許文献１】意匠登録第１２９０５５８号公報
【考案の概要】
【考案が解決しようとする課題】
【０００４】
従来の電気コネクタの端子は構成が多様なので、回路基板の前記各導電端子に対応する導電パッドの設計が複雑になり、設計コストが高くなる。また、隣接したペアの差動信号端子の間に一つのグランド端子だけが配置されるので、高速伝送の場合において、クロストークを効果的に低減できない。従って、隣接したペアの差動信号端子の間のクロストークにより電気的性能が悪化される恐れがある。
【０００５】
本考案は、係る点に鑑みてなされたものであり、隣接したペアの差動信号端子の間でのクロストークを効果的に低減でき、電気的性能を向上させた電気コネクタを提供することを目的とする。
【課題を解決するための手段】
【０００６】
本考案の電気コネクタは、絶縁本体と、前記絶縁本体に装着される複数の導電端子と、前記絶縁本体を覆うシェルとを含み、相手コネクタが挿入される挿入空間を有する電気コネクタにおいて、前記絶縁本体は基部と、前記基部から前記挿入空間へ向けて延出する舌片が設けられ、前記各導電端子は前記舌片の下壁に一列に配列される平板状の接触部を含み、前記複数の導電端子は、二つのペア差動信号端子と、前記二つのペア差動信号端子間に配置される両グランド端子とだけで構成されることを特徴とする。
【考案の効果】
【０００７】
従来技術に比べ、本考案は以下の利点を有する。電気コネクタの端子は、グランド端子と複数のペア差動信号端子とだけで構成されるので、回路基板の導電パッドの設計が簡略化され、隣接したペア差動信号端子の間にグランド端子が配置されることによって、隣接したペア差動信号端子の間でのクロストークを効果的に低減でき、電気的性能を向上させた。
【図面の簡単な説明】
【０００８】
【図１】本考案に係るソケットコネクタとケーブルコネクタとが嵌合した状態で示す、組立斜視図である。
【図２】図１に示すソケットコネクタとケーブルコネクタが嵌合していない状態で示す、斜視図である。
【図３】本考案に係るソケットコネクタの斜視図である
【図４】図３に示すソケットコネクタの正面図である。
【図５】本考案に係るソケットコネクタの分解斜視図である。
【図６】図５に示すソケットコネクタの他の角度から見た斜視図である。
【図７】本考案に係るケーブルコネクタの正面図である。
【図８】本考案に係るケーブルコネクタの第二シェルとケーブルを外した状態での、斜視図である。
【図９】本考案に係るケーブルコネクタのケーブルを外した状態での、分解斜視図である。
【図１０】図９に示すケーブルコネクタのケーブルを外した状態での、他の角度から見た斜視図である。
【考案を実施するための形態】
【０００９】
以下、図１と図２とを参照して、本考案の電気コネクタは、ケーブルコネクタ９００と、ケーブルコネクタ９００に嵌合するソケットコネクタ１００とを含む。
【００１０】
図３乃至図６を参照すると、ソケットコネクタ１００は、回路基板（図示せず）に実装され、第一絶縁本体１と、前記第一絶縁本体１に装着された複数の第一端子２と、第一絶縁本体１を覆う金属板からなる第一シェル３とを含み、前記第一シェル３がケーブルコネクタ９００を収容するための挿入空間３０が形成される。
【００１１】
前記第一絶縁本体１は、第一基部１１と、第一基部１１から前向きに延出する第一舌片１２とを有し、前記第一舌片１２は、上壁１２１と、前記上壁１２１に対向する下壁１２２とを有し、前記上壁１２１には突出部１２１１が上向きに延出するように形成され、前記下壁１２２には複数の端子溝１２２１が設けられる。本実施形態において、第一絶縁本体１は絶縁材料からなり、第一基部１１と第一舌片１２とが一体に成型される。勿論、他の実施形態において、第一基部１１と第一舌片１２とは別体でもいい。
【００１２】
前記第一基部１１の下部には、前記第一舌片１２と平行的に配置される補強板１３が設けられ、補強板１３の両側には支持部１３１がそれぞれ前向きに延出して形成される。また、第一舌片１２と補強板１３との間の第一基部１１には保持溝１４が設けられる。
【００１３】
図５および図６を参照すると、複数の第一端子２は、グランド端子Ｇと複数のペアの差動信号端子２１、２２とだけから構成され、具体的には、二つのペアの差動信号端子２１、２２と、二つのペアの差動信号端子２１、２２の間に配置される２本の接地端子Ｇとを含み、これによって二つのペア差動信号端子の間でのクロストークを効果的に低減できる。各ペアの差動信号端子は、＋信号端子と−信号端子から構成され、一方のペアの差動信号端子２１は単方向の伝送だけができ、他方のペアの差動信号端子２２は双方向の伝送ができ、これにより高速伝送が実現される。
【００１４】
前記第一端子２は、６本の導電端子から構成され、従来の電気コネクタより低減することができるので、ソケットコネクタ１００の小型化に有利となる。また、前記複数の第一端子２は、グランド端子と差動信号端子とだけで構成するので、回路基板の導電パッドの設計が簡略になり、設計コストが低減される。
【００１５】
各第一端子２は、第一基部１１に保持される保持部２５と、保持部２５の一端から前記端子溝に収容される平板状の接触部２６と、保持部２５の他端から延出する連接部２８と、連接部２８の末端での回路基板に接続するための接続部２７とを含む。前記接触部２６と接続部２７とは、ケーブルコネクタ９００の挿入方向に沿って延在される。前記連接部２８は前記ケーブルコネクタ９００の挿入方向と直交する方向に沿って延在する屈曲部２８１と、垂直に延出する垂直部２８２を含む。前記屈曲部２８１の幅は前記保持部２５と垂直部２８２の幅より狭いので、第一端子同士の間の距離が増加され、第一端子２の間のクロストークを低減できる。前記接触部２６は第一舌片１２の下壁１２２に形成される端子溝１２２１に一列で配列されることによって第一舌片１２の厚さが低減される。前記接触部２６は、相手コネクタの導電端子と接続するために挿入空間３０に露出され、また、前記接続部２７は表面粘着技術で回路基板に接続している。
【００１６】
本実施形態において、第一端子２は金属板からなり、勿論、他の実施形態において、第一舌片１２は、導電パッドを設ける基板が設けられ、中継端子を介して、中継端子の一端が前記基板の導電パッドに接続され、他端が回路基板の導電パッドに接続されることによって、本考案のソケットコネクタ１００の目的も実現できる。
【００１７】
前記第一シェル３は、金属板からなり、第一天板３１と、第一底板３２と、前記第一天板３１と第一底板３２を連接する対向の両第一側板３３とを含む。前記第一底板３２は各第一側板３３からそれぞれ対向して延出する両第一壁３２１と、各第一壁３２１から第一天板３１へそれぞれ向けて斜めに延出する両第二壁３２２と、前記両第二壁３２２を連接する第三壁３２３とを構成され、第一壁３２１と第三壁３２３が第一天板３１と平行に配置され、これによって、不適合なケーブルコネクタの誤挿着を防止できる。
【００１８】
第一シェル３の第一壁３２１が第一絶縁本体１の支持部１３１により支持され、第一シェル３の変形が防止できる。また、前記第一天板３１に挿入空間３０を突出する弾性片３１１と、弾性片３１１の両側での係合孔３１２とが形成される。各第一側板３３に挿入空間３０へ突出する弾性片３３１と、下向きに延出する回路基板に接続する保持片３３２と、第一絶縁本体１に係合する係合部３３３とが形成される。第一底板３２の第三壁３２３の後部に前記第一絶縁本体１の保持溝１４に保持される延出片３２４が設けられる。
【００１９】
図７乃至図１０を参照すると、前記ケーブルコネクタ９００は、第二絶縁本体４と、第二絶縁本体４を装着される複数の第二端子５と、ロック部材６と、第二端子５を保持されるベース７と、第二絶縁本体４を覆う第二シェル８と、ケーブルコネクタ９００に接続するケーブル９とを含む。
【００２０】
第二絶縁本体４は、第二基部４１と、第二基部４１から延出する第二舌片４２とを含み。第二舌片４２は、上壁４２１と下壁４２２を含み、前記上壁４２１の中部には、ソケットコネクタ１００の第一舌片１２が挿入される挿入空間４３が凹んで形成される。第二舌片４２の下壁４２２は、第一シェル３の第一底壁３２の形状と対応して、両端での第一面４２２１と、各第一面４２２１から前記天板に向けてそれぞれ斜めに延出する両第二面４２２２と、両第二面４２２２を連接する第三面４２２３とを含む。ソケットコネクタ１００がケーブルコネクタ９００と嵌合する時に、ソケットコネクタ１００の第一舌片１２が前記挿入空間１３に挿入され、第二舌片４２が第一シェル３の第一底板３２の上方に位置している。
【００２１】
前記挿入空間４３の底面４３１には、第二端子５を収容するために第二絶縁本体４を貫通する端子溝４３２が形成される。挿入空間４３の両側での第二舌片４２の上壁４２１に第二舌片４２を貫通する固持溝４２３が形成され、前記ロック部材６は固持溝４２３に保持され、前記上壁４２１を突出するロック部６３が形成され、該ロック部６３が第一シェル３の係合孔３１２に係合し収容される。
【００２２】
第二端子５は、グランド端子Ｇと複数のペアの差動信号端子５１、５２とだけから構成され、具体的には、二つのペアの差動信号端子５１、５２と、二つのペアの差動信号端子の間に配置される２本の接地端子Ｇとを含み、これによって二つのペア差動信号端子の間でのクロストークを効果的に低減できる。各ペアの差動信号端子は、＋信号端子と−信号端子から構成され、一方のペアの差動信号端子５１は単方向の伝送だけができ、他方のペアの差動信号端子５２は双方向の伝送ができ、これにより高速伝送が実現される。二本のグランド端子Ｇは、差動信号端子５１、５２より第二舌片４２の先端に隣接することによって、ソケットコネクタ１００とケーブルコネクタ９００が嵌合する時に、ケーブルコネクタ９００のグランド端子Ｇが先にソケットコネクタ１００のグランド端子Ｇに接続することで、静電気の発生が防止できる。
【００２３】
前記第二端子５は、第二基部４１に保持される保持部５３と、前記保持部５３から前向きに延出して端子溝４３２に収容される弧状接触部５４と、保持部５３から後向きに延出してケーブル９に接続する連接部５５とを含み、前記接触部５４が挿入空間４３に露出される。
【００２４】
前記第二端子５は、６本の導電端子から構成され、従来の電気コネクタより低減することができるので、ケーブルコネクタ９００の小型化に有利となる。また、前記複数の第二端子２は、グランド端子と差動信号端子とだけで構成するので、回路基板の導電パッドの設計が簡略になり、設計コストが低減される。
【００２５】
第一端子２と第二端子５は、一方の差動信号端子２１、５１は、動画を伝送するための動画伝送用端子であり、単方向の伝送だけができる。他方の差動信号端子２２、５２は混合信号、例えばオーディオ信号または他信号を伝送するものであり、双方向の伝送ができる
【００２６】
ケーブルコネクタ９００は、二本のロック部材６を含み、前記固持溝４２３に保持される固定部６１と、片持ちアーム状の弾性アーム６２とを含み、前記弾性アーム６２が前記固定溝４２３に上下方向で移動可能になって、弾性アーム６２に設けられたロック部６３が第一シェル３の係合孔３１２に係合している。
【００２７】
ベース７は第二絶縁本体４の後端に配置され、第二端子５に対向する壁面には前記第二端子５を位置決めするための凸状リブ７１が設けられ、これによって、第二端子同士の接触を防止できる。
【００２８】
第二シェル８は、第二舌板４２を覆う嵌合部８１を有しており、該嵌合部８１は、第二舌片４２の上下壁に貼り付ける第二天板８１１と、第二底板８１２と、第二天板８１１及び第二底板８１２を連接する両第二側板８１３とを含む。第二底板８１２の形状は第二舌片４２の下壁４２２に対応するように形成され、第二天板８１１の両側には前記ロック部材６のロック部６３がそれぞれ対応して突出される両開口８１１１が形成され、両開口８１１１の間には第一シェル３の弾性片３１１に係合する孔８１１２が設けられる。
【００２９】
前記ロック部材６のロック部６３が前記開口８１１１を貫通して第二天板８１１の外側に露出され、前記第一シェル３の弾性片３１１が前記孔８１１２に係合し、ロック部６３が係合孔３１２に係合し、第一シェル３の弾性片３３１が第二シェル8の第二側板８１３に係合することによって、ケーブルコネクタ９００がソケットコネクタ１００に安定して嵌合される。
【００３０】
以上、本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【符号の説明】
【００３１】
１００  ソケットコネクタ
１  第一絶縁本体
２  第一端子
３  第一シェル
４  第二絶縁本体
５  第二端子
６  ロック部材
７  ベース
８  第二シェル
【図１】
0003158913.tif 000003
【図２】
0003158913.tif 000004
【図３】
0003158913.tif 000005
【図４】
0003158913.tif 000006
【図５】
0003158913.tif 000007
【図６】
0003158913.tif 000008
【図７】
0003158913.tif 000009
【図８】
0003158913.tif 000010
【図９】
0003158913.tif 000011
【図１０】
0003158913.tif 000012